(57)【要約】【課題】サッシ見切材を用いる場合にいわゆる納まりのよい見切構造を得ることのできるサッシ見切材が望まれている。【解決手段】サッシ見切材１は、建築物の開口部を構成する木質窓枠材１０と、この木質窓枠材１０に取り付けられるサッシ１１との間に介装されるものであって、サッシ載置面２Ａを有する見切材本体２と、見切材本体２におけるサッシ載置面２Ａの一辺部２Ｃに当該一辺部２Ｃに沿って延在して立ち上がった立上り条部３とを備えて成り、木質窓枠材１０の上面１０Ａに載置される見切材本体２の下面２Ｂから立上り条部３の上端面３Ｄまでの寸法Ｌ２が、木質窓枠材１０の上面１０Ａに添設される巾木１６の厚さＬ１よりも大きく設定されているものである。【選択図】図１
2012197596.tif 000002
【特許請求の範囲】
【請求項１】
建築物の開口部を構成する木質窓枠材と、この木質窓枠材に取り付けられるサッシとの間に介装されるサッシ見切材であって、サッシ載置面を有する見切材本体と、見切材本体におけるサッシ載置面の一辺部に当該一辺部に沿って延在して立ち上がった立上り条部とを備えて成り、木質窓枠材の上面に載置される見切材本体の下面から立上り条部の上端部までの寸法が、木質窓枠材の上面に添設される巾木の厚さよりも大きく設定されていることを特徴とするサッシ見切材。
【請求項２】
先端が下向きに垂下した先端垂下条部を有するサッシに用いられるサッシ見切材であって、見切材本体のサッシ載置面に、前記サッシの先端垂下条部を収容する収容溝が形成されていることを特徴とする請求項１に記載のサッシ見切材。
【請求項３】
木質窓枠材の上面に貼られるクロスシートの先端部を収容するための切欠き部が、見切材本体の下面と、立上り条部におけるサッシ載置面とは反対側の側面との境界部分に形成されていることを特徴とする請求項１または請求項２に記載のサッシ見切材。
【請求項４】
見切材本体の下面に、木質窓枠材の上面に形成された嵌合溝部と嵌合する垂凸条部が、立上り条部の延在方向に沿って形成されていることを特徴とする請求項１から請求項３のいずれか一項に記載のサッシ見切材。
【請求項５】
請求項４に記載のサッシ見切材における見切材本体の垂凸条部と、当該垂凸条部と嵌合した木質窓枠材の嵌合溝部とが接着手段により固着されて、サッシ見切材と木質窓枠材とが一体に構成されていることを特徴とする見切材ユニット。
【発明の詳細な説明】
【技術分野】
【０００１】
本発明は、建築物の開口部を構成する木質窓枠材とサッシとの間に介装されるサッシ見切材、およびこれと木質窓枠材を一体に組み合わせた見切材ユニットに関するものである。
【背景技術】
【０００２】
一般に、窓枠は、家屋の窓の部屋内側に取り付けて意匠性を持たせたり結露の浸水を防ぐため、壁とサッシとをつなぐ造作材として知られている。かかる窓枠は、木材を無垢のまま使用されたり、木材の表面に塗装を施したりあるいは化粧シートを貼ったりして使用されていた。
一方で、近年の景気低迷による住宅着工数の減少により、価格競争が激化して価格破壊が起こっている。そこで、コストダウンを図るため、断面Ｌ字型の合成樹脂成型品の下面に両面粘着テープを貼り付けて成る合成樹脂製の「サッシ見切材」と称されるものが市販されている。かかるサッシ見切材を使用する場合、従前の無垢の木材や化粧シートを貼った木材の代わりに、ベニヤ材（９ｍｍ厚もしくは１２ｍｍ厚）などの木質窓枠材を下地として用い、建築現場でその木質窓枠材に前記のサッシ見切材を両面粘着テープで接着して見切材〜サッシ一体品を製作し、その見切材〜サッシ一体品にサッシをビスで固定する施工を行なっていた。その後、木質窓枠材の表面にクロスシートを貼り付けることにより工事完了となる。このような合成樹脂製のサッシ見切材による納まりは、意匠性に関して、従前の無垢の木材や化粧シートを貼った木材を用いた額縁よりも、すっきりとした空間作りができるという評価があり、マンションや戸建てに採用される事例が増えている。
【０００３】
前記したサッシ見切材としては、図８に示すようなサッシ見切材５１が市場に多く出回っている。このサッシ見切材５１は、サッシ（図示書略）を載置してビスなどで固定されるサッシ載置面５２Ａを有する見切材本体５２と、見切材本体５２におけるサッシ載置面５２Ａの一辺部に、この一辺部に沿って長く延在して立ち上がった立上り条部５３とを備えて構成されている。見切材本体５２の下面５２Ｂには、離型紙付きの両面接着シート（図示省略）が貼り付けられている。そして、木質窓枠材の上面に添設される巾木１６の厚さＬ１は、木質窓枠材６０の上面６０Ａに載置される見切材本体５２の下面５２Ｂから立上り条部５３の上端面までの寸法Ｍ２よりも大きくなっている。このサッシ見切材５１は、建築物の窓枠を構成する木質窓枠材６０と、木質窓枠材６０に取り付けられるサッシとの間に介装される。すなわち、サッシ載置面５２Ａ上の数箇所の適宜位置に、予めドリルなどでビス用穴があけられ、離型紙が剥がされたのちに、見切材本体５２が木質窓枠材６０の上面６０Ａの所定位置に置かれ、両面接着シートの粘着力で接着される。その後、サッシ見切材５１は、ビス用穴を通したビスにより木質窓枠材６０に固定されるようになっている。上記市販のサッシ見切材５１に近い技術は、例えば下記の特許文献１で提案されている。
【先行技術文献】
【特許文献】
【０００４】
【特許文献１】特開２００２−３０９８５７号公報
【発明の概要】
【発明が解決しようとする課題】
【０００５】
ところで、前記した従来のサッシ見切材５１では、木質窓枠材６０に添設される巾木１６の厚さＬ１が、木質窓枠材６０の上面６０Ａに載置される見切材本体５２の下面５２Ｂから立上り条部５３の上端面までの寸法Ｍ２よりも大きいので、巾木１６の端面１６Ａがサッシ見切材５１の立上り条部５３から突出し露出してしまう。そのままでは見栄えが悪く、いわゆる「納まり」のよい見切構造を得ることができない。そこで、露出した端面１６Ａに化粧を施したり、隠蔽用のシールを貼り付けたり、あるいは他の施工を行なうことにより、納まりの改善を行なっていた。しかしながら、これらの施工は、施工者にとって多大な手間と時間がかかり重労働であった。
他方で、木質窓枠材６０とサッシ見切材５１との接着は、両面粘着テープによる固定になるので、木質窓枠材６０およびサッシ見切材５１にサッシをビスで固定する時に、サッシ見切材５１が木質窓枠材６０上の所定位置からずれて施工が困難になるという問題があった。また、サッシ見切材５１と木質窓枠材６０は、それぞれ別個に建築現場に納品されていたので、小型で軽量な合成樹脂製のサッシ見切材５１を紛失する場合が多々あった。
【０００６】
本発明は、上記した従来の問題点に鑑みてなされたものであって、サッシ見切材を用いる場合にいわゆる納まりのよい見切構造を得ることのできるサッシ見切材の提供を目的とする。
【課題を解決するための手段】
【０００７】
上記目的を達成するために、本発明に係るサッシ見切材は、建築物の開口部を構成する木質窓枠材と、この木質窓枠材に取り付けられるサッシとの間に介装されるサッシ見切材であって、サッシ載置面を有する見切材本体と、見切材本体におけるサッシ載置面の一辺部に当該一辺部に沿って延在して立ち上がった立上り条部とを備えて成り、木質窓枠材の上面に載置される見切材本体の下面から立上り条部の上端部までの寸法が、木質窓枠材の上面に添設される巾木の厚さよりも大きく設定されているものである。
【０００８】
また、前記構成において、先端が下向きに垂下した先端垂下条部を有するサッシに用いられるサッシ見切材であって、見切材本体のサッシ載置面に、前記サッシの先端垂下条部を収容する収容溝が形成されているものである。
【０００９】
そして、前記した各構成において、木質窓枠材の上面に貼られるクロスシートの先端部を収容するための切欠き部が、見切材本体の下面と、立上り条部におけるサッシ載置面とは反対側の側面との境界部分に形成されているものである。
【００１０】
更に、前記した各構成において、見切材本体の下面に、木質窓枠材の上面に形成された嵌合溝部と嵌合する垂凸条部が、立上り条部の延在方向に沿って形成されているものである。
【００１１】
また、本発明に係るサッシ見切材は、請求項４に記載のサッシ見切材における見切材本体の垂凸条部と、当該垂凸条部と嵌合した木質窓枠材の嵌合溝部とが接着手段により固着されて、サッシ見切材と木質窓枠材とが一体に構成されているものである。
【発明の効果】
【００１２】
本発明に係るサッシ見切材によれば、木質窓枠材の上面に載置される見切材本体の下面から立上り条部の上端部までの寸法が、木質窓枠材の上面に添設される巾木の厚さよりも大きく設定されているので、巾木の端面はサッシ見切材の立上り条部の側面により被われて隠れてしまう。これにより、シンプルで見栄えのよい、いわゆる「納まり」のよい見切構造を得ることができる。従って、従来のサッシ見切材のように、突き合わせ端面に化粧を施したり、隠蔽用のシールを貼り付けたり、あるいは他の施工を行なったりする必要がなくなる。加えて、このサッシ見切材は構造が簡素かつ軽量であり、安価な製造コストで提供され得る。
【００１３】
また、見切材本体のサッシ載置面に、サッシの先端垂下条部を収容する収容溝が形成されているものでは、見切材本体のサッシ載置面上にサッシを置いたとき、サッシの先端垂下条部がサッシ載置面の収容溝内に収容されるので、サッシの下面は見切材本体のサッシ載置面に密着する。従って、この状態で例えばサッシにビス用穴をあけてビス止めしても、サッシの表面が撓んで変形したり割れてしまったりすることがなく、美しい外観を呈することができる。
【００１４】
そして、見切材本体の下面と立上り条部におけるサッシ載置面とは反対側の側面との境界部分に、切欠き部が形成されているものでは、木質窓枠材の上面に貼られるクロスシートの先端部を切欠き部内に収容することができる。これにより、クロスシートの先端部は切欠き部内に隠れて周囲から見えなくなる。従って、サッシ見切材とクロスシート先端の接合状態は見た目に美しくなるし、クロスシートの先端部の接着強度も高くすることができる。
【００１５】
更に、見切材本体の下面に、木質窓枠材の上面に形成された嵌合溝部と嵌合する垂凸条部が、立上り条部の延在方向に沿って形成されているものでは、垂凸条部と嵌合溝部との嵌合により、サッシ見切材と木質窓枠材とが位置決め固定されるので、更にビスなどを用いてサッシ見切材および木質窓枠材にサッシを固着する際に、ビスのねじ込みによる木質窓枠材からのサッシ見切材の位置ズレなどを引き起こすといったことを回避することができる。
【００１６】
また、本発明に係る見切材ユニットによれば、サッシ見切材における見切材本体の垂凸条部と、当該垂凸条部と嵌合した木質窓枠材の嵌合溝部とが接着手段により固着され一体化しているので、家屋の窓枠の開口寸法に合わせて見切材ユニットを予め工場などで切断しておいたものを建築現場に搬入することができる。これにより、建築現場での施工を簡素化して、建築現場でサッシ見切材と木質窓枠材を接着したり所定長さに切断したりする労力手間と施工時間を大幅に削減することができる。また、サッシ見切材と木質窓枠材とはそれぞれ個別に建築現場に納入されないので、サッシ見切材を紛失しやすいという問題を解消することもできる。
【図面の簡単な説明】
【００１７】
【図１】本発明の一実施形態に係るサッシ見切材の側面図である。
【図２】前記サッシ見切材を用いた家屋の掃き出し窓を示す側面構成図である。
【図３】前記掃き出し窓を示す平面構成図である。
【図４】前記掃き出し窓を示す図３に対応した部分平面構成図である。
【図５】前記掃き出し窓を示す一部切り欠いた部分斜視図である。
【図６】本発明に係る見切材ユニットを示す部分斜視図である。
【図７】本発明の別の実施形態に係るサッシ見切材の側面図である。
【図８】従来のサッシ見切材を木質窓枠材に取り付けて更に巾木を取り付けた構造を斜め下から見上げた状態を示す部分斜視図である。
【発明を実施するための形態】
【００１８】
本発明の実施形態を図面に基づいて説明する。尚、以下に述べる実施形態は本発明を具体化した一例に過ぎず、本発明の技術的範囲を限定するものでない。図１は本発明の一実施形態に係るサッシ見切材の側面図、図６は本発明に係る見切材ユニットを示す部分斜視図である。
図１および図６において、この実施形態に係るサッシ見切材１はポリエステルなどの合成樹脂製であり、サッシ載置面２Ａを上面として有する見切材本体２と、見切材本体２のサッシ載置面２Ａの一辺部２Ｃに、その一辺部２Ｃに沿う方向（図１における紙面直角の奥行き方向および図６における矢印Ｐ方向）に長く延在するとともにその一辺部２Ｃから立ち上がって形成された立上り条部３と、見切材本体２の下面２Ｂに下向きに突出するとともに立上り条部３の延在方向に沿って長く形成された垂凸条部５とを備えた、一体成型品として構成されている。
【００１９】
そして、サッシ見切材１は、サッシ本体１３と、このサッシ本体１３にビス２４で固着される見切取付部１２とから構成されたサッシ１１に対して使用される。見切取付部１２の先端部は、下向きに垂下しているとともに図１の紙面直角方向奥向きに長く延在する先端垂下条部１２Ａを有している。立上り条部３の側面３Ａに隣接した見切材本体２のサッシ載置面２Ａには、見切取付部１２の先端垂下条部１２Ａを収容する収容溝４が立上り条部３の延在方向に沿って長く、且つ、下面２Ｂ向きに陥没して形成されている。
【００２０】
前記の垂凸条部５は、木質窓枠材１０の上面１０Ａに陥没して形成された長溝である嵌合溝部１０Ｂと嵌合するようになっている。ここで用いられる木質窓枠材１０としては、例えばベニア材やＭＤＦなどが挙げられる。サッシ見切材１と木質窓枠材１０とは、垂凸条部５の下面５Ａが嵌合溝部１０Ｂと嵌合した状態で、接着剤（図示省略）またはビスなどの接着手段により固着されるようになっている。そして、見切材本体２の下面２Ｂと、立上り条部３におけるサッシ載置面２Ａと反対側の側面３Ｂとの境界部分に、テーパ面状の切欠き部６が形成されている。また、立上り条部３における側面３Ｂと上端面３Ｄとの境界部分には、テーパ面状の面取部３Ｃが形成されている。そして、このサッシ見切材１では、木質窓枠材１０の上面１０Ａに載置される見切材本体２の下面２Ｂから立上り条部３の上端面３Ｄまでの寸法Ｌ２が、木質窓枠材１０の上面１０Ａに添設される巾木１６の厚さＬ１よりも大きく設定されている。前記の寸法Ｌ２は例えば１０〜１２ｍｍ程度であり、巾木１６の厚さＬ１は例えば６〜９ｍｍ程度である。
【００２１】
前記した構成のサッシ見切材１は、図２〜図５に示すように、例えば家屋（建築物の例）２０の掃き出し窓（開口部の例）２１に用いられる。この掃き出し窓２１は、下辺部がフローリング材１９で形成され、左右辺部および上辺部が壁体で形成されている。前記した壁体における屋内Ｎ寄りの部分は、屋外Ｔ側から順に、発泡ポリウレタンなどの断熱材１８、石膏系接着剤層２５、プラスターボード１７、およびポリ塩化ビニルなどのクロスシート１４が積層して設けられている。そして、掃き出し窓２１における壁体の木口部分には、左右辺部および上辺部の木質窓枠材１０がそれぞれ木工用接着剤やビスなどで固着されている。そして、木質窓枠材１０の嵌合溝部１０Ｂには、サッシ見切材１の垂凸条部５が嵌合され、両面粘着テープや接着剤（いずれも図示省略）で固着される。そして、上部および左右の木質窓枠材１０，１０，１０と下部のフローリング材１９とから成る額縁構造の内周部に、正面視矩形枠状のサッシ１１が装着される。この場合、木質窓枠材１０，１０，１０とサッシ１１の見切取付部１２，１２，１２との間に、サッシ見切材１，１，１が介装される。この家屋２０において、掃き出し窓２１の屋内Ｎと屋外Ｔは、引き戸２２Ａ，２２Ｂの閉止により遮蔽される。
【００２２】
続いて、上記したプラスターボード１７の表面および木質窓枠材１０の上面１０Ａに、クロスシート１４が接着剤などで貼り付けられる。クロスシート１４の厚さＬ４は例えば０．５ｍｍ程度である。木質窓枠材１０の上面１０Ａにおいて、クロスシート１４の先端部１４Ａはサッシ見切材１の切欠き部６内に収容されている。この場合、サッシ見切材１の切欠き部６と立上り条部３の側面３Ｂとの境目位置と、見切材本体２の下面２Ｂとの間の寸法Ｌ３は例えば２ｍｍ程度であり、クロスシート１４の厚さＬ４よりも大きく設定してある。その後、サッシ見切材１の側面３Ｂ、切欠き部６、およびクロスシート１４から成るコーナ部がコーキング１５で被覆される。続いて、フローリング材１９直上のクロスシート１４の表面に、巾木１６が両面粘着テープや接着剤などで添着される。そして、木質窓枠材１０の外方に配置された巾木１６の一方の端面１６Ａと、プラスターボード１７の外方に配置された巾木１６の端面１６Ａとは、それぞれ、上から見て４５度の角度に切断された端面であり、これらの１６Ａ，１６Ａ同士が突き合わされた配置にされている。
【００２３】
上記したように、この実施形態のサッシ見切材１によれば、見切材本体２の下面２Ｂから立上り条部３の上端面３Ｄまでの寸法Ｌ２が巾木１６の厚さＬ１よりも大きく設定されているので、巾木１６の他方の端面１６Ａはサッシ見切材１の立上り条部３の側面３Ｂに被われて必ず隠れてしまう。これにより、巾木１６の外面から露出した立上り条部３の側面３Ｂ（Ａ）の部分が見えるので、シンプルで見栄えがよい、いわゆる「納まり」がよくなる（図４および図５参照）。
【００２４】
ところで、近年、サッシ１１の見切取付部１２は、その長手方向（図６の矢印Ｐ方向）の撓みや波打ちなどの変形を解消するとともに先端部の強度を高めるために、その先端部を下向きにした先端垂下条部１２Ａが形成されているものが多用されている。このようなサッシ１１を本実施形態のサッシ見切材１に用いる場合、見切材本体２のサッシ載置面２Ａ上の他辺部２Ｄ側に見切取付部１２を置くと、見切取付部１２の先端垂下条部１２Ａが収容溝４内に収容されるので、見切取付部１２の下面は見切材本体２のサッシ載置面２Ａに密着する。この状態でビス用穴１２Ｂを穿孔する作業を行なうと、見切材本体２が合成樹脂製でありながら変形することはない。ましてや、見切取付部１２をサッシ見切材１および木質窓枠材１０に固定する際にビス用穴１２Ｂからビス７でネジ止めしても、見切取付部１２の表面が撓んで変形したり割れてしまったりすることがなく、美しい外観を呈する。
【００２５】
それに対し、図８に示した従来市販のサッシ見切材５１の場合、その見切材本体５２の上面５２Ａは全面が平たんであるため、先端垂下条部１２Ａ付きの見切取付部１２を用いると、先端垂下条部１２Ａは収まるところがない。そのため、見切取付部１２の下面と見切材本体５２の上面５２Ａとの間に隙間が生じてしまう。その状態で、見切取付部１２を見切材本体５２にビス止めすると、見切取付部１２の表面が撓んで見苦しくなったり、ひいては割れたりするおそれがある。
【００２６】
一方、このサッシ見切材１では、立上り条部３と見切材本体２の下面２Ｂとの間に切欠き部６が設けられているので、クロスシート１４の先端部１４Ａはサッシ見切材１の切欠き部６内に隠れて周囲から見えない。従って、サッシ見切材１とクロスシート１４先端の接合状態が見た目に美しいし、クロスシート１４の先端部１４Ａの接着強度も高くなる。また、サッシ見切材１の切欠き部６と立上り条部３の側面３Ｂとの境目位置と、見切材本体２の下面２Ｂとの間の寸法がクロスシート１４の厚さＬ３よりも大きくされているので、クロスシート１４の先端部１４Ａはサッシ見切材１の切欠き部６内の奥深くに入り込む。その結果、長年の使用によっても、クロスシート１４の先端部１４Ａが木質窓枠材１０の上面１０Ａから剥がれにくくなる。加えて、切欠き部６内におけるクロスシート１４の先端部１４Ａの上方部分は空間になるので、この空間部分にコーキング１５が入り込めるので、コーキング１５の乗りがよいうえ接着強度が高くなり、経年使用によってもコーキング１５の剥離が生じにくいものになるという相乗効果が得られる。
【００２７】
また、立上り条部３における側面３Ｂと上端面３Ｄとの境目部分がテーパ面状の面取部３Ｃになっているので、立上り条部３に手で触れたときの感触が柔らかく、見た目にやさしい外観を呈することとなる。そして、サッシ１１とクロスシート１４は、水密性に関してサッシ見切材１の介在により縁切りされるので、結露浸入の問題を生じない。また、サッシ見切材１は、上記したように構成が簡素で軽量であり製造コストの点でも優れていて意匠もシンプルに納められるので、付加価値の高い商品として提供することができる。
【００２８】
尚、上記の実施形態では、サッシ見切材１と木質窓枠材１０とを個別に建築現場に納め、それらを建築現場で組み付けた例を示したが、本発明はその態様に限定されるものでない。例えば、図６に示すように、サッシ見切材１における垂凸条部５と、その垂凸条部５の下面５Ａと嵌合した木質窓枠材１０の嵌合溝部１０Ｂとを、例えば接着剤３３（接着手段の例）などで予め固着しておくことにより、サッシ見切材１と木質窓枠材１０とが一体構成となった見切材ユニット３０を提供することができる。因みに、実際の現場施工では、この見切材ユニット３０で納品される。すなわち、上述した掃き出し窓２１の例では、掃き出し窓２１の縦寸法に合わせた長さに切断された見切材ユニット３０が２本、掃き出し窓２１の横寸法に合わせた長さに切断された見切材ユニット３０が１本使用される。この見切材ユニット３０を利用することで、大工の施工を極めて簡素化することができ、施工時間と労力を大幅に削減できる。また、前記した実施形態のように、合成樹脂製のサッシ見切材１と例えばベニヤ板製の木質窓枠材１０とをそれぞれ個別に現場に納入していたのでは、合成樹脂製のサッシ見切材１を紛失しやすいが、この見切材ユニット３０を用いることにより紛失の問題も解消することができる。尚、この見切材ユニット３０に用いる接着手段としては、前記の接着剤３３以外に、例えば両面粘着テープやビスなどが挙げられる。
【００２９】
また、上記では、見切材本体２の下方に垂凸条部５を有するサッシ見切材１を例示したが、本発明はそれに限定されない。例えば、図７に示すサッシ見切材１ａのように、垂凸条部５を持たず、下面２Ｂが一面平らである見切材本体２ａを有するものであっても構わない。この場合、一面平らな下面２Ｂに、離型シート３２付きの両面粘着テープ３１を貼り付けておけば、作業性はよくなる。
【００３０】
また、本発明のサッシ見切材が適用される建築物の開口部としては、上述した掃き出し窓２１に限らず、例えば腰窓などであっても構わない。
【符号の説明】
【００３１】
１，１ａ  サッシ見切材
２，２ａ  見切材本体
２Ａ  サッシ載置面
２Ｂ  下面
２Ｃ  一辺部
３  立上り条部
３Ｂ  側面
３Ｄ  上端面
４  収容溝
５  垂凸条部
５Ａ  下面
６  切欠き部
１０  木質窓枠材
１０Ａ  上面
１０Ｂ  嵌合溝部
１１  サッシ
１２  見切取付部
１２Ａ  先端垂下条部
１４  クロスシート
１４Ａ  先端部
１６  巾木
１６Ａ  端面
２０  家屋（建築物）
２１  掃き出し窓（開口部）
２３  サッシ
３０  見切材ユニット
３３  接着材（接着手段）
Ｌ１  厚さ
Ｌ２  寸法
Ｐ  矢印
【図１】
2012197596.tif 000003
【図２】
2012197596.tif 000004
【図３】
2012197596.tif 000005
【図４】
2012197596.tif 000006
【図５】
2012197596.tif 000007
【図６】
2012197596.tif 000008
【図７】
2012197596.tif 000009
【図８】
2012197596.tif 000010